(57)【要約】【課題】再エンコード技術において、高画質の再エンコードを実現する。【解決手段】再エンコード時に、フレーム単位に復号化される前のピクチャタイプと再エンコード時のピクチャタイプを合わせ、再エンコード時の高画質化を実現する。また、必要に応じて、復号前のピクチャ情報と再エンコード時のピクチャ情報の合わせる量を可変することにより、さまざまなシステムに最適な処理量（フレーム単位にピクチャ情報の合わせる量）の再エンコードを実現する。また、再エンコード時に、ＧＯＰ単位、もしくはフレーム単位に復号処理時のビット量情報をエンコーダ処理部で利用し、エンコーダ処理部では、本情報を再エンコード時のビット配分目標値、もしくは、Ｉ，Ｐ，Ｂピクチャとの組み合わせにより、本ビット量情報を元としたビット配分目標値に対し演算処理を施し利用する。以上の最適なビット配分を行うことにより、高画質の再エンコードを実現する。【選択図】  図１
2008193444.tif 000002
【特許請求の範囲】
【請求項１】
フレーム間予測を用いる符号化方式であって、各フレームのフレーム間予測の方法を示すピクチャタイプを表すピクチャ情報を用いる第１の符号化方式によって符号化された第１の符号化動画像情報を復号化し、動画像情報を出力する復号化手段と、
フレーム間予測を用いる符号化方式であって、各フレームのフレーム間予測の方法を示すピクチャ情報を用いる第２の符号化方式によって該動画像情報を符号化し、第２の符号化動画像情報を出力する符号化手段と、
を備え、
該符号化手段は、該復号化手段において第１の符号化動画像情報を復号化する際に用いたピクチャ情報を用いて、該動画像情報を符号化すること、
を特徴とする情報処理装置。
【請求項２】
請求項１において、
前記復号化手段はさらに、第１の符号化動画像情報の各フレームのビット量を示すビット量情報を出力し、
前記第２の符号化方式は、所定フレーム数ごとに各フレームのビット量の目標値を設定して、動画像情報を符号化する符号化方式であり、
前記符号化手段は、前記復号化手段から出力される該ビット量情報を用いて各フレームのビット量の目標値を設定し、前記復号化手段で復号化された動画像情報を符号化すること、
を特徴とする情報処理装置。
【請求項３】
請求項１または２において、
前記第１および第２の符号化方式はそれぞれ、ＭＰＥＧ１、ＭＰＥＧ２，ＭＰＥＧ４、ＶＣ−１、Ｈ．２６４のいずれかであること、
を特徴とする情報処理装置。
【請求項４】
請求項１ないし３のいずれかにおいて、
前記符号化手段は、前記第２の符号化動画像情報が前記第１の符号化動画像情報と同じピクチャタイプの順序となるように符号化すること、
を特徴とする情報処理装置。
【請求項５】
請求項１ないし３のいずれかにおいて、
前記ピクチャタイプとして、Ｉ，Ｐ，Ｂピクチャがあり、
前記符号化手段は、前記第１の符号化動画像情報においてＩピクチャであったフレームを、前記第２の符号化動画像情報においてもＩピクチャとなるように符号化すること、
を特徴とする情報処理装置。
【請求項６】
請求項１ないし３のいずれかにおいて、
前記ピクチャタイプとして、Ｉ，Ｐ，Ｂピクチャがあり、
前記符号化手段は、前記第２の符号化動画像情報においてＩピクチャとなるフレームは、前記第１の符号化動画像情報においてもＩピクチャのフレームであるように符号化すること、
を特徴とする情報処理装置。
【請求項７】
請求項１ないし３のいずれかにおいて、
前記ピクチャタイプとして、Ｉ，Ｐ，Ｂピクチャがあり、
前記符号化手段は、前記第１の符号化動画像情報においてＩピクチャまたはＰピクチャであったフレームを、前記第２の符号化動画像情報においてＩピクチャとなるように符号化すること、
を特徴とする情報処理装置。
【請求項８】
請求項１ないし３のいずれかにおいて、
前記ピクチャタイプとして、Ｉ，Ｐ，Ｂピクチャがあり、
前記符号化手段は、前記第２の符号化動画像情報においてＩピクチャとなるフレームは、前記第１の符号化動画像情報においてＩピクチャまたはＰピクチャのフレームであるように符号化すること、
を特徴とする情報処理装置。
【請求項９】
請求項１ないし３のいずれかにおいて、
前記ピクチャタイプとして、Ｉ，Ｐ，Ｂピクチャがあり、
前記符号化手段は、前記第１の符号化動画像情報においてＩピクチャまたはＰピクチャであったフレームを、前記第２の符号化動画像情報においてＩピクチャまたはＰピクチャのフレームとなるように符号化すること、
を特徴とする情報処理装置。
【請求項１０】
請求項１ないし３のいずれかにおいて、
前記ピクチャタイプとして、Ｉ，Ｐ，Ｂピクチャがあり、
前記符号化手段は、前記第２の符号化動画像情報においてＩピクチャまたはＰピクチャとなるフレームは、前記第１の符号化動画像情報においてＩピクチャまたはＰピクチャのフレームであるように符号化すること、
を特徴とする情報処理装置。
【請求項１１】
第１の符号化方式によって符号化された第１の符号化動画像情報を復号化し、動画像情報を出力するとともに、第１の符号化動画像情報の各フレームのビット量を示すビット量情報を出力する復号化手段と、
所定フレーム数ごとに各フレームの目標ビット量を設定して、動画像情報を符号化する第２の符号化方式によって、該復号化手段で復号化された動画像情報を符号化し、第２の符号化動画像情報を出力する符号化手段と、
を備え、
該符号化手段は、該復号化手段から出力される該ビット量情報を用いて、所定フレーム数ごとに各フレームの目標ビット量を設定し、該動画像情報を符号化すること、
を特徴とする情報処理装置。
【請求項１２】
請求項１１において、
前記第１および第２の符号化方式はそれぞれ、ＭＰＥＧ１、ＭＰＥＧ２，ＭＰＥＧ４、ＶＣ−１、Ｈ．２６４のいずれかであること、
を特徴とする情報処理装置。
【請求項１３】
請求項２、１１または１２において、
前記符号化手段は、前記第２の符号化動画像情報における所定フレーム数に含まれる各フレームの目標ビット量の割合が、前記第１の符号化動画像情報における対応する所定フレーム数に含まれる各フレームのビット量の割合と略等しくなるように、符号化すること、
を特徴とする情報処理装置。
【請求項１４】
請求項２、１１または１２において、
前記符号化手段は、該各フレームの目標ビット量の割合が、前記第１の符号化動画像情報における対応する所定フレーム数に含まれる各フレームのビット量の割合と略等しくなるように算出し、該所定フレーム数に含まれる各フレームの特性に応じて該算出された値を増減させることにより、前記第２の符号化動画像情報における所定フレーム数に含まれる各フレームの目標ビット量を設定し、符号化すること、
を特徴とする情報処理装置。
【請求項１５】
請求項２、１１または１２において、
前記符号化手段は、前記第２の符号化動画像情報における所定フレーム数に含まれる各フレームの目標ビット量を、前記第１の符号化動画像情報における対応する所定フレーム数に含まれる各フレームのビット量の割合と、該所定フレーム数に含まれる各フレームの特性に応じて設定し、符号化すること、
を特徴とする情報処理装置。
【請求項１６】
請求項１４または１５において、
前記第２の符号化方式は、動きベクトルを用いる符号化方式であり、
前記所定フレーム数に含まれる各フレームの特性とは、各フレームの動きベクトルの長さを用いて算出した前記所定フレームにおける動きの程度であること、
を特徴とする情報処理装置。
【請求項１７】
請求項１４または１５において、
前記第２の符号化方式は、フレームを複数のマクロブロックに分割し、各マクロブロックは、動き補償を用いるインターマクロブロックまたは動き補償を用いないイントラマクロブロックに設定される符号化方式であり、
前記所定フレーム数に含まれる各フレームの特性とは、各フレームのイントラマクロブロックとインターマクロブロックの比率を用いて算出した前記所定フレームにおける動きの程度であること、
を特徴とする情報処理装置。
【発明の詳細な説明】
【技術分野】
【０００１】
本発明は、情報処理装置に関するものである。
【背景技術】
【０００２】
本技術分野の背景技術として、例えば、ＷＯ００／４８４０２（特許文献１）がある。該公報には、「本発明は、MPEG規格に基づいて生成された符号化ストリームに対して再符号化処理を施すことによって、異なるＧＯＰ（Group of Picture）構造や異なるビットレートを有した再符号化ストリームを生成するためのトランスコーダに関する発明である。具体的には、トランスコーダの復号化装置は、ソース符号化ストリームをデコードして復号化ビデオデータを生成するとともに、符号化ストリーム中に重畳されている過去の符号化パラメータを抽出する。符号化装置は、復号化ビデオデータと過去の符号化パラメータを受け取り、過去の符号化パラメータを使用して符号化処理を行う。さらに、符号化装置は、過去の符号化パラメータの中から後段のアプリケーションに最適な符号化パラメータを選択して、符号化ストリーム中に記述する。」（要約）と記載されている。
【０００３】
なお、該特許文献１に関係する文献として、特開２００５−２５３０９２号公報（特許文献２）や特開２００５−２４５００２号公報（特許文献３）がある。
【０００４】
また、本技術分野の背景技術として、例えば、特開平１１−２５２５６６号公報（特許文献４）がある。該公報には、「［課題］圧縮符号化の復号、復号画像信号の再符号化
の過程で生じる画質劣化を抑える。［解決手段］ＭＰＥＧデコーダ１によりビットストリームが復号され、復号画像信号が得られる。多重化器２により復号画像信号が伝送用画像信号に変換されると共に、制御情報Ｉｃおよび符号化特徴点情報Ｉｐが再エンコーダ側に伝送される。制御情報Ｉｃは、伝送用画像信号中の復号画像の空間的および時間的関係を示す。符号化特徴点情報Ｉｐは、ピクチャコーディングタイプ等を含む。ＭＰＥＧエンコーダ５は、情報Ｉｃ、Ｉｐを受け取って、符号化対象領域を切り出し、また、フレーム構造を構成する。そして、符号化対象領域のフレームを符号化することにより、ストリームを出力する。このストリームは、復号前の元のストリームと、ピクチャコーディングタイプ、空間的および時間的関係が同一であって、復号および再符号化に伴う画質劣化を最小限とできる。」（要約）と記載されている。
【０００５】
また、本技術分野の背景技術として、例えば、特開平１１−２７５５９０号公報（特許文献５）がある。該公報には、「［課題］再エンコードにおいてＧＯＰ位相のずれに起因する画質劣化を抑制する。［解決手段］最初のエンコードによって生成されたビットストリーム（ｉ）がＭＰＥＧデコーダ３１に供給され、復号画像とされる。この復号画像が記録再生系３２を介して入力復号画像としてフレームメモリ３３に入力する。フレームメモリ３３は、入力復号画像を所定のタイミングでＭＰＥＧエンコーダ３４およびＭＡＤ計算回路３５に供給する。ＭＡＤ計算回路３５は、ＭＡＤ（平均値と各画素値の差の総和）を計算する。計算結果から、ハイパスフィルタ３６によって分離される高周波成分がＢピクチャ判定回路３７に供給される。この高周波成分に基づいてＢピクチャ判定回路３７がピクチャタイプを判定し、判定結果をＭＰＥＧエンコーダ３４に供給する。この判定結果を参照して、ＭＰＥＧエンコーダ３４が入力復号画像のＧＯＰ位相をロックさせる。」（要約）と記載されている。
【０００６】
【特許文献１】ＷＯ００／４８４０２（特に、要約、明細書１１６頁、図５）
【特許文献２】特開２００５−２５３０９２号公報
【特許文献３】特開２００５−２４５００２号公報
【特許文献４】特開平１１−２５２５６６号公報（特に、要約、段落０００３、０００６、００１８、００２２、００２６、図１〜３、効果００７６）
【特許文献５】特開平１１−２７５５９０号公報
【発明の開示】
【発明が解決しようとする課題】
【０００７】
図２はビデオ・コーデックＬＳＩ、もしくは、システム装置の一例を示すブロック図であって、１は動画像ストリームをＭＰＥＧ-１，２，４やＶＣ−１、Ｈ．２６４などへエンコードするエンコーダとなり、データを一定の規則に基づいて符号化する機能となり、データの圧縮や暗号化などを行なうものがこれにあたる。主に、動きベクトルを扱ったエンコード処理やＤＣＴ、量子化、エントロピー符号化（ＶＬＣ）機能などが含まれる。２はＭＰＥＧ−１，２，４やＶＣ−１、Ｈ．２６４などの動画像ストリームをデコードするデコーダとなり、一定の規則に基づいて符号化されたデータを復号し、もとのデータを取り出す機能となり、圧縮されたデータの復元や、暗号の解読などを行なうものがこれにあたる。４はデコーダの主機能となる復号部となり、ストリームのヘッダ情報などから行なうデコード処理、逆エントロピー符号化（ＶＬＤ）、逆量子化、逆ＤＣＴ機能などを含む。５はストリームに含まれるヘッダ情報より、Ｉ，Ｐ，Ｂピクチャ情報の検出部となる。１３はエンコーダ１にてエンコード処理を行なう際にフレームデータを格納するのに必要とするフレームメモリとなる。１５はデコーダ１にてデコード処理を行なう際にフレームデータを格納するのに必要とするフレームメモリとなる。
【０００８】
一般的にビデオ・コーデックＬＳＩ、もしくは、システムは、デコードした動画像に対し、再エンコードを繰り返すと画質が劣化していく問題がある。例えば、再エンコードにおいてＧＯＰ位相のずれに起因する画質劣化について、上記した特開平１１−２７５５９０号公報（特許文献５）に記載されている。
【０００９】
図３は、ビデオ・コーデックにおいて、ピクチャの並びについて、Ｉ，Ｐ，Ｂピクチャ概念にてデコーダ２の入力と出力をフレーム単位で表す一例となる。
【００１０】
図４は、ビデオ・コーデックにおいて、ピクチャの並びについて、Ｉ，Ｐ，Ｂピクチャ概念にてエンコーダ１の入力と出力をフレーム単位で表す一例となる。
【００１１】
図２に示す再エンコード技術では、ＭＰＥＧやＨ．２６４などによる圧縮動画像をデコーダ２によって、復号動画像へ変換し、エンコーダ１にて再圧縮を行う際、デコーダ２では、図３に示す例のようにフレーム単位にヘッダに含まれる圧縮動画像のピクチャ情報を踏まえ、規定のデコード処理を行い、復号動画像を生成する。エンコーダ１では、デコーダ２にて生成された動画像を、図４に示す例のようにフレーム単位に、再度、ピクチャ設定を行い、規定のエンコード処理を行う。この際、図４に示す例のようにエンコーダ１では、フレーム単位で入力動画像を見た場合、復号化された動画像ストリームには圧縮動画像ストリームのように、ヘッダ情報が付加されてないため、デコード時にフレーム毎に扱われていたピクチャ設定とエンコーダ１でのピクチャ設定がばらばらになってしまう可能性がある。
【００１２】
ここで、ピクチャ情報とは、フレーム単位に圧縮動画像のヘッダに含まれる情報となり、ストリームのエンコード／デコードにおいて、用いられる情報となる。ピクチャ情報には、ＩピクチャとＰピクチャ、Ｂピクチャがあり、
Ｉピクチャは、次のフレーム画像の予測に利用する画像であるため、フレーム間予測は行なわず、そのフレーム情報だけから符号化された画面で符号量は多くなるが、精度を高くする特徴がある。
Ｐピクチャは、IまたはＰピクチャからの予測を行なうことによって出来る画面となり、Ｉピクチャよりも符号量は少ないが、精度はＩピクチャよりも落ちる。
Ｂピクチャは、双方向予測によって出来る画面で、一般的に次の予測に使われることがないので、ＩやＰピクチャに比べ精度は落す。
Ｉ，Ｐピクチャでは量子化ステップを細かくして画質を高く保ち、Ｂピクチャでは、逆に画質を低く抑えるような符号化処理によって平均的画質を向上させるのがピクチャ情報の目的となる。
【００１３】
また、ビット配分とは、エンコード時に各ＧＯＰ単位もしくは、フレーム単位に目標ビット量を定め、エンコード処理を行う際の目標ビット量についての配分を示す。ビット配分は一般的に過去のエンコード時のビット量から目標ビット量を予測し設定する。この際、動画から静止画への切り替え時や符号量が変化する場面などにおいて、予測と異なり、最適なビット配分が出来ず、画質低下の原因となってしまう場合がある。
【００１４】
図２に示す再エンコード技術では、デコード時とエンコード時において、同一フレームのピクチャ情報、ビット量に不一致が発生する可能性があり、結果、デコード時では符号量は少ないが精度の低いＢピクチャ（もしくはＰ）であるフレームを再エンコード時にはＩピクチャ（もしくはＰ）と設定した場合などが発生し、また、先に述べた符号量が変化する場面などにデコード時とエンコード時のビット量が異なることが起因し、画質劣化が発生する問題がある。
【００１５】
本発明の目的は、例えば上述する画質劣化が発生する問題を考慮し、高画質の再エンコードを実現することである。
【課題を解決するための手段】
【００１６】
上記目的は特許請求の範囲に記載の発明により達成される。
【００１７】
例えば、一例として、ビデオ・コーデックＬＳＩ、もしくは、システムはエンコーダの処理において、デコーダのピクチャ情報、ビット量情報を使用することが出来、高画質の再エンコードを行なうことを特徴とする。
デコーダの構成としては、ＭＰＥＧ−１，２，４やＶＣ−１、Ｈ．２６４などの圧縮動画像ストリームをデコードするデコーダとなり、圧縮動画像ストリームのヘッダ情報などから行なうデコード処理、逆エントロピー符号化（ＶＬＤ）、逆量子化、逆ＤＣＴ機能などが含まれる。本一例は、圧縮動画像ストリームに含まれるヘッダ情報から行なうデコード処理部において、Ｉ，Ｐ，Ｂピクチャ情報の検出を行なうブロックより、ピクチャ情報を抽出するのが特徴とするものである。また、デコーダの復号処理部において、圧縮動画像ストリームを復号化する際のビット量情報をエンコーダ処理部へ通知する点を特徴とするものである。
エンコーダの構成としては、動画像ストリームをＭＰＥＧ−１，２，４やＶＣ−１、Ｈ．２６４などへエンコードするエンコーダとなり、データを一定の規則に基づいて符号化する機能、データの圧縮や暗号化などを行なうものがこれにあたる。動きベクトルを扱ったエンコード処理、ＤＣＴ、量子化、エントロピー符号化（ＶＬＣ）機能画などが含まれる。本一例は主に、動きベクトルを扱ったエンコード処理時にデコーダにて抽出したピクチャ情報をエンコード時のピクチャ情報設定に利用出来る構成を特徴とするものである。また、エンコード処理時に、デコーダにて抽出したビット量情報をエンコード時のビット配分に利用出来る構成を特徴とするものである。
【発明の効果】
【００１８】
本発明によると、高画質の再エンコードを実現することができる。
【００１９】
例えば、一例として、再エンコード時に、フレーム単位に復号化される前のピクチャタイプと再エンコード時のピクチャタイプを合わせることが出来、高画質の再エンコードを実現することができる。また、必要に応じて、復号前のピクチャ情報と再エンコード時のピクチャ情報の合わせる量を可変することにより、さまざまなシステムに最適な処理量（フレーム単位にピクチャ情報の合わせる処理量）の再エンコードを実現することが出来る。
【００２０】
また、一例として、再エンコード時に、ＧＯＰ単位、もしくはフレーム単位に復号処理時のビット量情報をエンコーダ処理部で利用することが出来、エンコーダ処理部では、本情報を再エンコード時のビット配分目標値、もしくは、Ｉ，Ｐ，Ｂピクチャとの組み合わせにより、本ビット量情報を元としたビット配分目標値に対し演算処理を施し利用することができる。以上の最適なビット配分を行うことにより、高画質の再エンコードを実現することができる。
【００２１】
上記以外の課題、構成および効果は、以下の実施形態の説明により明らかにされる。
【発明を実施するための最良の形態】
【００２２】
以下、本発明の実施形態を図面により説明する。
【実施例１】
【００２３】
図１は本実施例によるデコード情報利用による再エンコード対応ビデオ・コーデックＬＳＩ、もしくは、システムを示す第一の実施例であって、１は動画像ストリームをＭＰＥＧ−１，２，４やＶＣ−１、Ｈ．２６４などへエンコードするエンコーダとなり、データを一定の規則に基づいて符号化する機能、データの圧縮や暗号化などを行なうものがこれにあたる。主に、動きベクトルを扱ったエンコード処理やＤＣＴ、量子化、エントロピー符号化（ＶＬＣ）機能などが含まれる。２はＭＰＥＧ−１，２，４やＶＣ−１、Ｈ．２６４などの動画像ストリームをデコードするデコーダとなり、一定の規則に基づいて符号化されたデータを復号し、もとのデータを取り出す機能となり、圧縮されたデータの復元や、暗号の解読などを行なうものがこれにあたる。４はデコーダの主機能となる復号部となり、ストリームのヘッダ情報などから行なうデコード処理、逆エントロピー符号化（ＶＬＤ）、逆量子化、逆ＤＣＴ機能などを含み、復号時のビット量情報をビット量情報コントローラ３２へ通知する機能を持つ。５はストリームに含まれるヘッダ情報より、Ｉ，Ｐ，Ｂピクチャ情報の検出を行い、ピクチャ情報コントローラ３へ検出したピクチャ情報を通知する機能部となる。３は、ピクチャ情報検出部５からの情報を格納、必要に応じて、ピクチャ情報等をエンコーダ１へ通知する機能を持つピクチャ情報のメモリ、且つ、コントローラとなる。また、本コントローラより通知されるＩ，Ｐ，Ｂピクチャ情報をエンコーダ１ではどのフレームに扱うかなどの制御を行う。３２は復号部４からのビット量情報を格納、必要に応じて、ビット量情報等をエンコーダ１へ通知する機能を持つ、ビット量情報のメモリ、且つ、コントローラとなる。６はエンコーダ１やデコーダ２がエンコード、デコードを行なう際にフレームデータを格納するのに必要とするフレームメモリとなる。このような構成を取ることにより、エンコーダ１の処理において、デコーダ２のピクチャ情報、ビット量情報を使用して、高画質の再エンコードを行なうのが特徴となる。
【００２４】
図５は、図１のピクチャ情報検出部５において、圧縮動画像をデコードする際にピクチャ情報を検出、検出したピクチャ情報の並びを表す１例となり、Ｉ，Ｐ，Ｂピクチャ概念にてデコーダ１の入力と出力をフレーム単位で表す。
本実施例によるビデオ・コーデックＬＳＩ、もしくは、システムは、図５に示すようにデコード時に得られる圧縮動画のヘッダ情報より各フレームのピクチャタイプやデコードピクチャ順番情報など、その他ヘッダ情報を保持して置き、再エンコードに利用することが特徴となる。
【００２５】
図６は、エンコーダ１において、デコーダ２にて抽出したピクチャ情報を用いたエンコード時のピクチャ設定を表す一例となる。Ｉ，Ｐ，Ｂピクチャ概念にてエンコーダ１の入力と出力をフレーム単位で表す。
本実施例によるビデオ・コーデックＬＳＩ、もしくは、システムは、図６に示すようにデコーダ２において、抽出したピクチャ情報を用いて、デコード時のフレームピクチャタイプとエンコード時のフレームピクチャタイプを、デコード時はＩピクチャフレーム、Ｐピクチャフレームだったものをエンコード時も同様にＩピクチャフレーム、Ｐピクチャフレームへ設定することが特徴となる。
【００２６】
図７は、エンコーダ１において、デコーダ２にて抽出したピクチャ情報を用いたエンコード時のピクチャ設定を表す一例となる。Ｉ，Ｐ，Ｂピクチャ概念にてエンコーダ１の入力と出力をフレーム単位で表す。
本実施例によるビデオ・コーデックＬＳＩ、もしくは、システムは、図７に示すようにデコーダ２において、抽出したピクチャ情報を用いて、デコード時のフレームピクチャタイプとエンコード時のフレームピクチャタイプについて、デコード時はＩピクチャフレームだったものをエンコード時も同様にＩピクチャフレームへ設定することが特徴となる。
【００２７】
なお、必ずしもデコード時の全てのＩピクチャフレームをエンコード時もＩピクチャフレームにしなければならないわけではない。もちろんこのようにするのが望ましいが、後述するように、例えばＧＯＰのピクチャ数が異なる等の理由により、再エンコード前の動画像ストリームと再エンコード後の動画像ストリームとのＩピクチャフレームの数が異なる場合がある。大事な点は、エンコード時のＩピクチャフレームは、なるべく、デコード時において画質の良いＩピクチャフレームを用いることである。
【００２８】
図８は、エンコーダ１において、デコーダ２にて抽出したピクチャ情報を用いたエンコード時のピクチャ設定を表す一例となる。Ｉ，Ｐ，Ｂピクチャ概念にてエンコーダ１の入力と出力をフレーム単位で表す。
本実施例によるビデオ・コーデックＬＳＩ、もしくは、システムは、図８に示すようにデコーダ２において、抽出したピクチャ情報を用いて、デコード時のフレームピクチャタイプとエンコード時のフレームピクチャタイプについて、デコード時はＰピクチャフレームだったものをエンコード時はＩピクチャフレームへ設定することが特徴となる。
【００２９】
なお、デコード時はＩピクチャフレームまたはＰピクチャフレームだったものをエンコード時はＩピクチャフレームへ設定するようにしてもよい。すなわち、比較的画質の良いデコード時のＩピクチャフレームまたはＰピクチャフレームを、最も画質の良いエンコード時にＩピクチャとなるようにすることで、再エンコード時の画質を向上させるのである。また、図７の場合と同様に、デコード時のＩピクチャフレームまたはＰピクチャフレームの数とエンコード時はＩピクチャフレームの数とが異なる場合がある。大事な点は、エンコード時のＩピクチャフレームは、なるべく、デコード時において画質の良いＩピクチャフレームまたはＰピクチャフレームを用いることである。
【００３０】
図９は、エンコーダ１において、デコーダ２にて抽出したピクチャ情報を用いたエンコード時のピクチャ設定を表す一例となる。Ｉ，Ｐ，Ｂピクチャ概念にてエンコーダ１の入力と出力をフレーム単位で表す。
本実施例によるビデオ・コーデックＬＳＩ、もしくは、システムは、図９に示すようにデコーダ２において、抽出したピクチャ情報を用いて、デコード時のフレームピクチャタイプとエンコード時のフレームピクチャタイプについて、デコード時はＩピクチャフレーム、もしくは、Ｐピクチャフレームだったものをエンコード時もＩピクチャフレーム、もしくは、Ｐピクチャフレームへ設定することが特徴となる。
【００３１】
なお、図７，８と同様に、大事な点は、エンコード時のＩピクチャフレームまたはＰピクチャフレームは、なるべく、デコード時において画質の良いＩピクチャフレームまたはＰピクチャフレームを用いることである。
【００３２】
図１０は、デコーダ２において、復号動画のピクチャ情報は、圧縮動画をデコードする際、圧縮動画生成を行った時の規格（ＭＰＥＧ−１，２，４やＶＣ−１、Ｈ．２６４など）や設定により、Ｉ，Ｐ，Ｂピクチャ情報のフレーム並びは可変であることを表した図となる。
【００３３】
図１１は、エンコーダ１において、圧縮動画のピクチャ情報は、圧縮動画をエンコードする際の規格（ＭＰＥＧ−１，２，４やＶＣ−１、Ｈ．２６４など）や設定により、Ｉ，Ｐ，Ｂピクチャ情報のフレーム並びは可変であることを表した図となる。
【００３４】
本実施例によるビデオ・コーデックＬＳＩ、もしくは、システムは、図１０に示すようにデコーダ２において、圧縮動画像を復号した際のＩピクチャと次Ｉピクチャ間のフレーム数は、圧縮動画像の規格（ＭＰＥＧ−１，２，４やＶＣ−１、Ｈ．２６４など）やエンコード設定に依存し可変となる。また、Ｉピクチャと次Ｐピクチャ間のフレーム数、Ｐピクチャ間と次Ｐピクチャ間のフレーム数も同様に圧縮動画像の規格やエンコード設定に依存し可変となる。図１１に示すようにエンコーダ１においても同様に、各ピクチャ間のフレーム数は可変となる。上述したシステムにおいて、必ずしも、デコーダ２のピクチャ情報通りにエンコーダ１のピクチャ設定を合わせる必要はなく、例えば、ＧＯＰ層にてピクチャの部分一致を図ることに囚われず、シーケンス層も含めて、いくつかのＩピクチャやＰピクチャのピクチャタイプを合わせる、もしくは、数あるＩピクチャの内、いくつかのピクチャタイプを合わせることが本実施例の特徴となる。
【００３５】
また、図１０で述べた復号処理時のピクチャタイプと圧縮処理時のピクチャタイプについて、再エンコード時、ピクチャ設定の調整機能を搭載することにより、復号画がＭＰＥＧ−２、再エンコードをＨ．２６４など、デコード時の動画像ストリームタイプ（ＭＰＥＧ−１，２，４やＶＣ−１、Ｈ．２６４など）と再エンコード時の動画像ストリームタイプ（ＭＰＥＧ−１，２，４やＶＣ−１、Ｈ．２６４など）が違うものなどについても、ピクチャ位相を合わせた処理が出来ることが本実施例の特徴となる。
【００３６】
また、本実施例によるビデオ・コーデックＬＳＩ、もしくは、システムは、デコード時のビット量情報を利用し、再エンコードを行う点を特徴とする。過去のエンコード時のビット量から目標ビット量を予測するだけでなく、デコード時の元ストリームのビット量をＧＯＰ単位毎、もしくは、ピクチャ単位毎に取得し、再エンコード時の目標ビット量として利用する。
【００３７】
例えば、再エンコード時のＧＯＰ単位毎、もしくは、ピクチャ単位毎のビット量を元ストリームと同じ比率に合わせた場合、特にシーンチェンジや静止画から動画への切り替わり時など符号量が変わる動画などにおいて、本情報を利用することにより、ビット量の予測が難しい場面でも画質劣化の少ない再エンコードが実現出来る。
【００３８】
また、元ストリームの情報を利用しながらも必要に応じてＩ，Ｐ，Ｂの目標ビット量に調整を加えることにより、さらなる画質向上を実現することも可能である。例えば、デコーダ２におけるデコード結果から得られるマクロブロック毎の動きベクトルの長さを統計的に処理することにより当該ピクチャの動きの程度を求め、動きの程度が比較的大きい場合には、ＰピクチャやＢピクチャの目標ビット量を元のストリームの比率より大き目にすることが可能である。また例えば、ＰピクチャやＢピクチャにおけるマクロブロックの種別を集計し、イントラマクロブロックとインターマクロブロックの比率から当該ピクチャを含む所定区間の動きの程度を求め、動きの程度が比較的小さく静止画に近い場合などはＩピクチャの目標ビット量を元のストリームより大きく、Ｐ、Ｂピクチャは小さく取ることが可能である。これにより、さらなる最適なビット量の調整が出来、高画質化を実現することが可能である。
【実施例２】
【００３９】
図１２は本実施例によるデコード情報利用による再エンコード対応ビデオ・コーデックＬＳＩ、もしくは、システムを示す第二の実施例であって、１は動画像ストリームをＭＰＥＧ−１，２，４やＶＣ−１、Ｈ．２６４などへエンコードするエンコーダとなり、データを一定の規則に基づいて符号化する機能、データの圧縮や暗号化などを行なうものがこれにあたる。主に、動きベクトルを扱ったエンコード処理やＤＣＴ、量子化、エントロピー符号化（ＶＬＣ）機能などが含まれる。２はＭＰＥＧ−１，２，４やＶＣ−１、Ｈ．２６４などの動画像ストリームをデコードするデコーダとなり、一定の規則に基づいて符号化されたデータを復号し、もとのデータを取り出す機能となり、圧縮されたデータの復元や、暗号の解読などを行なうものがこれにあたる。６はエンコーダ１やデコーダ２がエンコード、デコードを行なう際にフレームデータを格納するのに必要とするフレームメモリとなる。８は、エンコーダ１への入力を選択するスイッチとなり、動画像入力か再エンコード時の動作となるデコーダ２からの入力かを選択する。７はこれらのシステム制御を行なうマイコンとなる。また、９は、マイコンからデコーダ２への制御信号となる。本信号により、デコード開始タイミングやデコーダ２の各種動作設定を行う。また、デコーダ２において、ＭＰＥＧ−１，２，４やＶＣ−１、Ｈ．２６４などの動画像ストリームのデコード処理を行う際にピクチャ情報、ビット量情報を抽出するが、本信号により、その情報をＣＰＵ７が受け取る。１０は、エンコーダ１の制御信号となる。本信号により、エンコード開始タイミングやエンコーダ１の各種動作を設定する。また、本コントロール信号より、エンコーダ１のエンコードモードを切り替える。エンコードモードとは、ＭＰＥＧ−１、ＭＰＥＧ−２、ＭＰＥＧ−４、Ｈ．２６４、ＶＣ−１などの圧縮規格種類を表す。また、デコーダ２より抽出したピクチャ情報、ビット量情報を本制御信号によりエンコーダ１の再エンコード処理時に通知する。このような構成を取ることにより、エンコーダ１の処理において、デコーダ２のピクチャ情報、ビット量情報を使用することが出来、高画質の再エンコードを行なうのが特徴となる。
【００４０】
なお、Ｉ，Ｐ，Ｂピクチャ情報、ビット量情報の扱いに関して、本実施例は、実施例１にて説明した機能と同等のものを実装する装置となるのが特徴となる。
また、本実施例のＬＳＩ、もしくは、システムは入力として、動画像の入力インターフェースを１つ以上と圧縮動画像ストリームの入力インターフェースを１つ以上持つのが特徴となる。
また、本実施例のＬＳＩ、もしくは、システムは出力として、動画像の出力インターフェースを１つ以上と圧縮動画像ストリームの出力インターフェースを１つ以上持つのが特徴となる。
【実施例３】
【００４１】
図１３は本実施例によるデコード情報利用による再エンコード対応ビデオ・コーデックＬＳＩ、もしくは、システムを示す第三の実施例であって、１は動画像ストリームをＭＰＥＧ−１，２，４やＶＣ−１、Ｈ．２６４などへエンコードするエンコーダとなり、データを一定の規則に基づいて符号化する機能。データの圧縮や暗号化などを行なうものがこれにあたる。主に、動きベクトルを扱ったエンコード処理やＤＣＴ、量子化、エントロピー符号化（ＶＬＣ）機能などが含まれる。１３はエンコーダ１にてエンコード処理を行なう際にフレームデータを格納するのに必要とするフレームメモリとなる。１２は、これらの制御を行なうマイコンとなる。また、エンコード用ＣＰＵ１２は、デコード用ＣＰＵ１４との通信を行なうインターフェースを持つ。これらのエンコーダ１、エンコード用フレームメモリ１３、エンコード用ＣＰＵ１２により、エンコード処理機能を実現する独立したＬＳＩ、もしくは、システムとなる。
【００４２】
２はＭＰＥＧ−１，２，４やＶＣ−１、Ｈ．２６４などの動画像ストリームをデコードするデコーダとなり、一定の規則に基づいて符号化されたデータを復号し、もとのデータを取り出す機能となり、圧縮されたデータの復元や、暗号の解読などを行なうものがこれにあたる。１５はデコーダ１にてデコード処理を行なう際にフレームデータを格納するのに必要とするフレームメモリとなる。１４は、これらの制御を行なうマイコンとなる。また、デコード用ＣＰＵ１４は、エンコード用ＣＰＵ１２の通信を行なうインターフェースを持つ。これらのデコーダ２、デコード用フレームメモリ１５、デコード用ＣＰＵ１４により、デコード処理機能を実現する独立したＬＳＩ、もしくは、システムとなる。
【００４３】
上述する２つのエンコーダＬＳＩ、もしくは、システムとデコーダＬＳＩ、もしくは、システムを用いて、以下に示す再エンコード処理を行なうのが本実施例の特徴となる。
【００４４】
デコーダ２が動画像ストリームのデコードを行なう際に、デコード用ＣＰＵ１４は、ピクチャ情報、ビット量情報をデコーダ２から抽出する。その後、復号動画像がエンコーダ１へ通知されるが、その際に、デコード用ＣＰＵ１４はエンコード用ＣＰＵ１２へインターフェース１６を介し、抽出したピクチャ情報、ビット量情報を通知する。エンコード用ＣＰＵ１２は、受信したピクチャ情報、ビット量情報やエンコード開始タイミング指示、エンコードモード指示を受け、エンコーダ１の動作設定を行い、エンコード処理を行う。エンコードモードとは、ＭＰＥＧ−１、ＭＰＥＧ−２、ＭＰＥＧ−４、Ｈ．２６４、ＶＣ−１などの圧縮規格の種類を表す。このような構成を取ることにより、エンコーダ１の処理において、デコーダ２のピクチャ情報、ビット量情報を使用することが出来、高画質の再エンコードを行なうのが特徴となる。
【００４５】
なお、Ｉ，Ｐ，Ｂピクチャ情報、ビット量情報の扱いに関して、本実施例は、実施例１にて説明した機能と同等のものを実装する装置となるのが特徴となる。
【００４６】
本実施例３は、独立した２つのエンコーダＬＳＩ、もしくは、システムとデコーダＬＳＩ、もしくは、システムを用いて、ＣＰＵ間通信（インターフェース１６）を活用することにより、実施例１に説明した機能と同等のものを実装する装置となるのが特徴となる。
【実施例４】
【００４７】
図１４は本実施例によるデコード情報利用による再エンコード対応  ビデオ・コーデックＬＳＩ、もしくは、システムを示す第四の実施例であって、１は動画像ストリームをＭＰＥＧ−１，２，４やＶＣ−１、Ｈ．２６４などへエンコードするエンコーダとなり、データを一定の規則に基づいて符号化する機能。データの圧縮や暗号化などを行なうものがこれにあたる。主に、動きベクトルを扱ったエンコード処理やＤＣＴ、量子化、エントロピー符号化（ＶＬＣ）機能などが含まれる。１３はエンコーダ１にてエンコード処理を行なう際にフレームデータを格納するのに必要とするフレームメモリとなる。１８は、これらの制御を行なうマイコン外部バス、制御信号となる。１７は、エンコーダ１とエンコード用フレームメモリ１３、デコーダ２とデコード用フレームメモリ１５の制御を行なう汎用マイコンチップとなる。これらのエンコーダ１、エンコード用フレームメモリ１３、マイコン外部バス、制御信号１８、汎用マイコンチップ１７により、エンコード処理機能を実現する独立したＬＳＩ、もしくは、システムとなる。
【００４８】
２はＭＰＥＧ−１，２，４やＶＣ−１、Ｈ．２６４などの動画像ストリームをデコードするデコーダとなり、一定の規則に基づいて符号化されたデータを復号し、もとのデータを取り出す機能となり、圧縮されたデータの復元や、暗号の解読などを行なうものがこれにあたる。１５はデコーダ１にてデコード処理を行なう際にフレームデータを格納するのに必要とするフレームメモリとなる。これらのデコーダ２、デコード用フレームメモリ１５、マイコン外部バス、制御信号１８、汎用マイコンチップ１７により、デコード処理機能を実現する独立したＬＳＩ、もしくは、システムとなる。
【００４９】
上述する３つのエンコーダＬＳＩ、もしくは、システムとデコーダＬＳＩ、もしくは、システムと汎用マイコンチップ１７を用いて、以下に示す再エンコード処理を行なうのが本実施例の特徴となる。
【００５０】
デコーダ２が動画像ストリームのデコードを行なう際に、汎用マイコンチップ１７は、ピクチャ情報、ビット量情報をデコーダ２から抽出する。その後、復号動画像がエンコーダ１へ通知されるが、その際に、汎用マイコンチップ１７は、抽出したピクチャ情報、ビット量情報をエンコーダ１へ通知する。汎用マイコンチップ１７はピクチャ情報、ビット量情報やエンコード開始タイミング指示、エンコードモード指示などエンコーダ１の動作設定を行い、エンコーダ１ではエンコード処理を行う。エンコードモードとは、ＭＰＥＧ−１、ＭＰＥＧ−２、ＭＰＥＧ−４、Ｈ．２６４、ＶＣ−１などの圧縮規格種類を表す。このような構成を取ることにより、エンコーダ１の処理において、デコーダ２のピクチャ情報、ビット量情報を使用することが出来、高画質の再エンコードを行なうのが特徴となる。
【００５１】
なお、Ｉ，Ｐ，Ｂピクチャ情報、ビット量情報の扱いに関して、本実施例は、実施例１にて説明した機能と同等のものを実装する装置となるのが特徴となる。
【００５２】
本実施例４は、独立した３つのエンコーダＬＳＩ、もしくは、システムとデコーダＬＳＩ、もしくは、システム、汎用マイコンチップ１７を用いて、実施例１に説明した機能と同等のものを実装する装置となるのが特徴となる。
【実施例５】
【００５３】
図１５は本実施例によるデコード情報利用による再エンコード対応ビデオ・コーデックＬＳＩ、もしくは、システムを示す第五の実施例であって、実施例４に示す構成に対し、汎用マイコンチップ１７を、デコーダを構成するＬＳＩ、もしくは、システム内のＣＰＵ１９と置き換えた点が特徴となる。
【００５４】
本実施例５は、上記、相違点以外は実施例４と同じ特徴を持つ。
【実施例６】
【００５５】
図１６は本実施例によるデコード情報利用による再エンコード対応ビデオ・コーデックＬＳＩ、もしくは、システムを示す第六の実施例であって、実施例４に示す構成に対し、汎用マイコンチップ１７をエンコーダを構成するＬＳＩ、もしくは、システム内のＣＰＵ２０と置き換えた点が特徴となる。
【００５６】
本実施例５は、上記、相違点以外は実施例４と同じ特徴を持つ。
【実施例７】
【００５７】
図１７は本実施例によるデコード情報利用による再エンコード対応ビデオ・コーデックＬＳＩ、もしくは、システムを示す第七の実施例であって、実施例２に示す構成に対し、エンコーダ１を２個構成とした点が特徴となる。本構成により、再エンコード時に、例えば、デコーダ２において、ＭＰＥＧ−２をデコードし、エンコーダその１では、ＭＰＥＧ−４による再エンコード、エンコーダその２では、Ｈ．２６４による再エンコードを同時に行なうなどの並列処理が可能となる。
【実施例８】
【００５８】
図１８は本実施例によるデコード情報利用による再エンコード対応ビデオ・コーデック機能をカメラ装置に適用した場合を示す第八の実施例であって、実施例２に示す構成に対し、カメラ装置に本実施例を利用した点が特徴となり、その他の特徴は同じとなる。
【００５９】
以下にカメラ装置の一例を示す。カメラ処理２３の構成は、ＣＣＤセンサーやＣＭＯＳセンサーなど、各種センサーを意味するセンサー２４、センサー２４からの映像データを受信し、画質改善処理やフォーマット変換などカメラ信号処理を行うカメラＤＳＰ２５から構成する。表示部は、カメラ処理２３やデコーダ２などから通知する動画像ストリームを、例えば、ＬＣＤなど、表示機能を持つ筐体を意味する表示部２６にて表示する。メディア２１、メディア２２は、例えば、ハードディスクやＤＶＤ、Ｂｌｕ−ｒａｙＤｉｓｃなどの情報格納バッファとなり、記憶媒体を意味する。ＳＴＲＥＡＭ  Ｉ／Ｆ２７は、カメラ処理２３やエンコーダ１、デコーダ２の動画像ストリームをメディア２１、メディア２２への書き込み／読み出し機能、これらのインターフェース機能、また、カメラ装置外部への各種映像出力Ｉ／Ｆ機能等も合わせ持つ。
【実施例９】
【００６０】
図１９は本実施例によるデコード情報利用による再エンコード対応ビデオ・コーデック機能をレコーダ装置に適用した場合を示す第九の実施例であって、実施例２に示す構成に対し、レコーダ装置に本実施例を利用した点が特徴となり、その他の特徴は同じとなる。
【００６１】
以下にレコーダ装置の一例を示す。各種入力部を示す２８は、例えば、ＢＳ／ＣＳ放送、地上波放送などの受信、デジタル信号処理化などのチューナを意味するＴＵＮＥＲ２９とオーディオ入力インターフェース、オーディオアナログ／デジタル変換機能を意味するＡＵＤＩＯ＿ＡＤ３０、ビデオ入力インターフェースやビデオ入力信号復調機能を意味するＶＩＤＥＯ＿ＤＥＣ３１、これらのＳＷ機能などから構成する。メディア２１、メディア２２は、例えば、ハードディスクやＤＶＤ、Ｂｌｕ−ｒａｙＤｉｓｃなどの情報格納バッファとなり、記憶媒体を意味する。ＳＴＲＥＡＭ  Ｉ／Ｆ２７は、カメラ処理２３やエンコーダ１、デコーダ２の動画像ストリームをメディア２１、メディア２２への書き込み／読み出し機能、これらのインターフェース機能、また、レコーダ装置外部への各種映像出力Ｉ／Ｆ機能等も合わせ持つ。
【図面の簡単な説明】
【００６２】
【図１】本発明によるデコード情報利用による再エンコード対応ビデオ・コーデックＬＳＩ、もしくは、システムの第１実施例を示すブロック図である。
【図２】従来の再エンコード対応ビデオ・コーデックの図である。
【図３】デコーダ２の入力と出力をフレーム単位で表す１例である。
【図４】エンコーダ１の入力と出力において、復号画のピクチャと圧縮画のピクチャのピクチャタイプ位相違いを表す１例である。
【図５】デコーダ２の入力と出力において、デコード時のピクチャ情報抽出を意味する１例である。
【図６】エンコーダ１の入力と出力において、Ｉ，Ｐピクチャ情報とＩ，Ｐピクチャ情報の関係をフレーム単位で表す１例である。
【図７】エンコーダ１の入力と出力において、Ｉピクチャ情報とＩピクチャ情報の関係をフレーム単位で表す１例である。
【図８】エンコーダ１の入力と出力において、Ｐピクチャ情報とＩピクチャ情報の関係をフレーム単位で表す１例である。
【図９】エンコーダ１の入力と出力において、ＩorＰピクチャ情報とＩorＰピクチャ情報の関係をフレーム単位で表す１例である。
【図１０】デコーダ２において、復号画のピクチャ情報は、復号画の元となる圧縮動画の生成を行った時の規格や設定により、Ｉ，Ｐ，Ｂピクチャ情報のフレーム並びは可変であることを表した図である。
【図１１】エンコーダ１において、圧縮動画をエンコードする際の規格や設定により、Ｉ，Ｐ，Ｂピクチャ情報のフレーム並びは可変であることを表した図である。
【図１２】本発明によるデコード情報利用による再エンコード対応ビデオ・コーデックＬＳＩ、もしくは、システムの第２実施例を示すブロック図である。
【図１３】本発明によるデコード情報利用による再エンコード対応ビデオ・コーデックＬＳＩ、もしくは、システムの第３実施例を示すブロック図である。
【図１４】本発明によるデコード情報利用による再エンコード対応ビデオ・コーデックＬＳＩ、もしくは、システムの第４実施例を示すブロック図である。
【図１５】本発明によるデコード情報利用による再エンコード対応ビデオ・コーデックＬＳＩ、もしくは、システムの第５実施例を示すブロック図である。
【図１６】本発明によるデコード情報利用による再エンコード対応ビデオ・コーデックＬＳＩ、もしくは、システムの第６実施例を示すブロック図である。
【図１７】本発明によるデコード情報利用による再エンコード対応ビデオ・コーデックＬＳＩ、もしくは、システムの第７実施例を示すブロック図である。
【図１８】本発明によるデコード情報利用による再エンコード対応ビデオ・コーデックＬＳＩ、もしくは、システムの第８実施例を示すブロック図である。
【図１９】本発明によるデコード情報利用による再エンコード対応ビデオ・コーデックＬＳＩ、もしくは、システムの第９実施例を示すブロック図である。
【符号の説明】
【００６３】
１  エンコーダ
２  デコーダ
３  ピクチャ情報を格納、必要に応じて、デコーダ２からのピクチャ情報等をエンコーダ１へ通知するピクチャ情報コントローラ３
４  デコーダの復号部（ストリームのヘッダ情報などから行なうデコード処理、逆エントロピー符号化（ＶＬＤ）、逆量子化、逆ＤＣＴ機能など）
５  ストリームに含まれるヘッダ情報より、Ｉ，Ｐ，Ｂピクチャ情報の検出部
６  エンコーダ１やデコーダ２がエンコード、デコードを行なう際にフレームデータを格納するのに必要とするフレームメモリ
７  エンコーダ１、デコーダ２、フレームメモリ６等のシステム制御を行なうマイコン
８  外部からの動画像入力、もしくは、デコードされた動画像入力を選択するセレクタ
９  デコーダ２へのコントロール信号
１０  エンコーダ１へのコントロール信号
１１  フレームメモリ６へのコントロール信号
１２  エンコーダ１とエンコード用フレームメモリ１３のシステム制御を行なうマイコン
１３  エンコード用フレームメモリ
１４  デコーダ２とデコード用フレームメモリ１５のシステム制御を行なうマイコン
１５  デコード用フレームメモリ
１６  エンコード用ＣＰＵ１２とデコード用ＣＰＵ１４の通信を行なう制御信号
１７  汎用マイコンチップ
１８  マイコンの外部バス、コントロール制御信号
１９  デコーダ２とデコード用フレームメモリ１５、エンコーダ１、エンコード用フレームメモリ１３のシステム制御を行なうマイコン（デコーダを構成するＬＳＩ、もしくは、システム内のＣＰＵ）
２０  デコーダ２とデコード用フレームメモリ１５、エンコーダ１、エンコード用フレームメモリ１３のシステム制御を行なうマイコン（デンコーダを構成するＬＳＩ、もしくは、システム内のＣＰＵ）
２１  ハードディスクやＤＶＤ、ＨＤ−ＤＶＤ、Ｂｌｕ−ｒａｙＤｉｓｃなどの情報格納バッファとなり、記憶媒体
２２  ハードディスクやＤＶＤ、ＨＤ−ＤＶＤ、Ｂｌｕ−ｒａｙＤｉｓｃなどの情報格納バッファとなり、記憶媒体
２３  カメラ処理部
２４  ＣＣＤセンサーやＣＭＯＳセンサーなど、各種センサー
２５  カメラ信号処理部
２６  ＬＣＤなど、表示機能を持つ筐体
２７  ＳＴＲＥＡＭ  Ｉ／Ｆ
２８  各種入力部
２９  ＢＳ／ＣＳ放送、地上波放送などの受信、デジタル信号処理化などのチューナ
３０  オーディオ入力インターフェース、オーディオアナログ／デジタル変換機能部
３１  ビデオ入力インターフェースやビデオ入力信号復調機能部
３２  ビット量情報を格納、必要に応じて、デコーダ２からのビット量情報等をエンコーダ１へ通知するビット量情報コントローラ
【図１】
2008193444.tif 000003
【図２】
2008193444.tif 000004
【図３】
2008193444.tif 000005
【図４】
2008193444.tif 000006
【図５】
2008193444.tif 000007
【図６】
2008193444.tif 000008
【図７】
2008193444.tif 000009
【図８】
2008193444.tif 000010
【図９】
2008193444.tif 000011
【図１０】
2008193444.tif 000012
【図１１】
2008193444.tif 000013
【図１２】
2008193444.tif 000014
【図１３】
2008193444.tif 000015
【図１４】
2008193444.tif 000016
【図１５】
2008193444.tif 000017
【図１６】
2008193444.tif 000018
【図１７】
2008193444.tif 000019
【図１８】
2008193444.tif 000020
【図１９】
2008193444.tif 000021